(57)【要約】【課題】ブローアンドブロープロセスとして稼働しているガラス容器成形機においてガラスの塊にカウンタブロー空気を間欠的に送るプランジャの提供。【解決手段】プランジャは、入口端部に拡大凹部及び上端部に弁座を備えた固定環状部材と、環状部材の環形部内に設けられた滑り弁部材とを有し、滑り弁部材は、ステム部分及び拡大弁座部分を有する。プランジャは更に、滑り弁部材のステム部分に調節自在に螺着されていて、環状部材の凹部内で摺動自在なカラーを有する。カラーを貫通して複数の空気流通路が設けられ、加圧空気が、オンオフ弁が設けられた入口ラインを通って環状部材の凹部に間欠的に送られる。凹部を加圧すると、凹部内に働く圧力によってカラー及び弁部材を環状部材に対して持ち上げ、弁部材の弁部分を環状部材の凹部から離脱させる。【選択図】　　　図１
2004018373.tif 000002
【特許請求の範囲】
【請求項１】
ＩＳ型ガラス容器成形機のブランクモールド内の成形可能な温度状態にあるガラスの塊の中にカウンタブロー空気を導入する装置であって、環状部材を有し、前記環状部材は、ブランクモールドに対して往復動不能であり、前記環状部材は、垂直方向に延びる長手方向中心軸線、最も下の端部のところに設けられた拡大凹部及び最も上の端部のところに設けられた上向きの弁座を有し、
滑り弁部材を有し、前記滑り弁部材は、前記環状部材の環形部内に配置され、前記環状部材に対し往復動可能であり、最も上の端部のところに拡大弁部分を備えたステムを有し、前記拡大弁部分は、前記環状部材に対する前記弁部材の第１の位置において、前記環状部材の前記弁座に着座し、前記弁部材の第２の位置において、前記弁座に対して離脱した状態にあり、
前記弁部材と共に往復動可能な状態で、前記弁部材の前記ステムに固定された環状カラーを有し、前記カラーは、前記環状部材の前記凹部内に配置され、前記カラーを貫通して少なくとも１つの空気流通路が設けられ、
加圧空気を前記凹部に間欠的に送って前記カラーの下側に作用させ、それにより前記弁部材の前記弁部分を押圧してこれを前記第１の位置から前記第２の位置に動かすための手段を有し、前記弁部材は、前記凹部を減圧すると、前記第１の位置に戻るようになっていることを特徴とする装置。
【請求項２】
前記滑り弁部材の前記拡大弁部分は、前記滑り弁部材の自由端部のところに最大の広がりを持つ切頭円錐形の形状をしており、前記環状部材の前記弁座は、切頭円錐形の形状をしており、前記滑り弁部材の前記拡大弁部分は、前記滑り弁部材が前記第１の位置にあるとき、前記弁座と面接触をなして係合することを特徴とする請求項１記載の装置。
【請求項３】
前記カラーを貫通して延びる前記少なくとも１つの空気流通路は、前記滑り弁部材の長手方向中心軸線を包囲する円周方向アレイ状に設けられた複数の空気流通路から成ることを特徴とする請求項１記載の装置。
【請求項４】
前記カラーを貫通して延びる前記少なくとも１つの空気流通路は、前記環状部材の長手方向中心軸線を包囲する円周方向アレイ状に設けられた複数の空気流通路から成ることを特徴とする請求項２記載の装置。
【請求項５】
環状カラーは、前記滑り弁部材の前記ステムに調節自在且つ着脱自在に固定されていることを特徴とする請求項１記載の装置。
【請求項６】
環状カラーは、前記滑り弁部材の前記ステムに調節自在且つ着脱自在に固定されていることを特徴とする請求項２記載の装置。
【請求項７】
環状カラーは、前記滑り弁部材の前記ステムに調節自在且つ着脱自在に固定されていることを特徴とする請求項３記載の装置。
【請求項８】
環状カラーは、前記滑り弁部材の前記ステムに調節自在且つ着脱自在に固定されていることを特徴とする請求項４記載の装置。
【請求項９】
前記環状部材の前記凹部は、半径方向肩を有し、前記環状カラーは、前記滑り弁部材の前記第２の位置において、前記半径方向肩に係合することを特徴とする請求項５記載の装置。
【請求項１０】
前記凹部は、前記半径方向肩から軸方向内方に間隔を置いていて、前記カラーが前記半径方向肩に係合したときに前記凹部内に残存している流体を逃がすことができるようにする側方の広がりが縮減された一部分を更に有していることを特徴とする請求項９記載の装置。
【請求項１１】
ガラスの塊をＩＳ型ガラス容器成形機のブランクモールド内に配置した後、前記ブランクモールド内の成形可能な温度状態にあるガラスの塊の中にカウンタブロー空気を導入する方法であって、
往復動不能な環状部材を準備する工程を有し、環状部材は、その最も上の端部のところに設けられた受座及びその最も下の端部のところに設けられた拡大凹部を有し、
最も上の端部のところに設けられた拡大弁部分及び拡大弁部分から下方に延びるステムを有する滑り弁部材を準備する工程を有し、滑り弁部材は、環状部材に対して往復動可能であって、弁部分が環状部材の受座に着座して環状部材を通る流体の流れを遮断する第１の位置と、弁部分が環状部材の受座から離脱して環状部材を通る流体の流れを可能にする第２の位置との間で動くようになっており、前記滑り弁部材のステムに設けられていて、滑り弁部材と一緒に環状部材に対して往復動できるカラーを準備する工程を有し、カラーは、環状部材の凹部内で摺動自在であり、カラーを貫通して少なくとも１つの流体流れ通路が設けられており、
環状部材の凹部を流体で加圧し、流体がカラーの下側に作用してカラーを上方に押圧し、それにより、滑り弁部材を第１の位置から第２の位置に動かす工程を有し、
環状部材の凹部を減圧して滑り弁部材が重力の作用で第１の位置に戻るようにする工程を有していることを特徴とする方法。
【請求項１２】
流体は、圧縮空気であることを特徴とする請求項１１記載の方法。
【発明の詳細な説明】
【０００１】
【発明の分野】
本発明は、独立セクション（ＩＳ）型ガラス容器成形機のブランクモールド内のガラス塊の中にカウンタブロー吹き込み空気を導入する方法及び装置に関する。
【０００２】
【発明の背景】
米国特許第４，３６４，７６４号明細書（発明者：ファーカス（Ｆｏｒｋａｓ）等）はその図１において、ＩＳ型のガラス容器成形機で成形可能な温度の状態にあるガラスの塊から中空ガラス容器をブローアンドブロープロセスと呼ばれる方式によって製造する際に実施される一連の工程を示しており、かかる米国特許明細書の開示内容を本明細書の一部を形成するものとしてここに引用する。ＩＳ機で実施されるブローアンドブロープロセスでは、ガラス容器のプレフォームを、ブランクモールドと呼ばれることが多い第１のステージモールドで裏返し又は逆さまの向きで、即ち、その開放端部を下にした状態で成形される。プレフォーム（これは、ブランク又はパリソンと呼ばれることが多い）を次に、１８０°の円弧にわたる裏返し作業で、ブローモールドと呼ばれることが多い第２のステージモールド内へ移送し、ここでプレフォームは、その最終形態にブロー成形（吹き込み成形）される。上記米国特許第４，３６４，７６４号明細書の図２の図Ｃは、ブローアンドブロープロセスにおいてカウンタブロー工程と呼ばれる工程、即ち、パリソンをブランクモールドの底部に正しく配置した後、吹き込み空気をパリソンの中へ注入する工程を示している。
【０００３】
米国特許第４，１９１，１５８号明細書（発明者：フォートナー（Ｆｏｒｔｎｅｒ）等）は、ブローアンドブロープロセスで稼働しているＩＳ機のブランクモールド内のガラスプレフォーム中にカウンタブロー空気を導入する専用装置を開示しており、かかる米国特許明細書の開示内容を本明細書の一部を形成するものとしてここに引用する。
【０００４】
従来、ＩＳ機で実施されるブローアンドブロープロセスにおいて用いられるカウンタブロー空気は、ＩＳ型成形機のブランクモールド内のガラスの塊の中にブランクモールドに対して往復動するプランジャを介して導入され、このブランクモールド内のガラス塊は、パリソンの所望の形状にブロー成形されることになっており、カウンタブロー空気は、プランジャがその下方位置にあるときにのみ吹き込まれる。この工程は例えば、上述のフォートナー等の米国特許第４，１９１，１５８号明細書の第５欄第４９〜５７行に記載されている。しかしながら、カウンタブロー空気の導入中、プランジャを引っ込める工程が原因となってパリソンの仕上げ部分の「コケージ（ｃｏｒｋａｇｅ　）」の変形が生じる場合がある。なお、「コケージ」という用語は、上述の米国特許第４，１９１，１５８号明細書で用いられている。
【０００５】
【発明の概要】
ＩＳ型ガラス容器成形機のブランクモールド内でパリソンの状態に吹き込みブロー成形されるべきガラス塊の中にカウンタブロー空気を導入することと関連した上述の問題及び他の問題を解決するため、プランジャの中へのカウンタブロー空気の導入中、ボブ及びモールドに対して往復動する必要が無ければ往復動もしないカウンタブロー空気導入プランジャが提供される。本発明のプランジャは、ＩＳ機のブランクモールドの下に位置決めされる非往復動環状部材を有し、このプランジャは更に、環状部材に対して往復動する滑り弁部材を有している。滑り弁部材は、カウンタブロー空気がプランジャを通って流れていないとき、環状部材の切頭円錐形表面に着座する外方に延びる切頭円錐形端部を備えた細長いステムを有している。弁は、滑り弁部材のステムに螺着された環状カラーを更に有し、このカラーを貫通して円周方向の複数の空気通路が設けられている。カラーは、環状部材の凹部内で摺動し、この凹部には吹き込み空気が間欠的に導入され、このカラーは、加圧されて滑り弁部材の切頭円錐形端部を環状部材の切頭円錐形受座から離脱させて、環状部材の凹部が加圧されたときにのみ、吹き込み空気が塊の中に流れることができるようになっている。環状部材の凹部の減圧時点滑り弁部材は、重力の作用でその着座位置に戻ることになる。このように、プランジャは、カウンタブロー工程全体を通じ、ブロー成形中のパリソンの仕上げ部と接触したままであり、それにより、ガラスパリソンのカウンタブローに関し、従来の教示による実行の際、従来カウンタブロー工程の実施中に起る場合のあるパリソン仕上げ部のコケージの変形の問題を解決する。
【０００６】
したがって、本発明の目的は、ＩＳ型ガラス容器成形機のブランクモールド内のガラスの塊の中にカウンタブロー空気を導入する改良方法及び改良装置を提供することにある。より詳細には、本発明の目的は、カウンタブロー空気導入プランジャをカウンタブロー空気導入工程中、ブランクモールドの他の構造部材に対して引っ込める必要が無く、それにより、ブランクモールド内で成形されているパリソンの仕上げ部のコケージの変形を回避する上述した形式の方法及び装置を提供することにある。
【０００７】
本発明の内容及びその目的をより深く理解するために、図面及び図面の簡単な説明、本発明の詳細な説明並びに特許請求の範囲を参照されたい。
【０００８】
【詳細な説明】
本発明の好ましい実施形態のカウンタブロー空気導入プランジャが全体を符号１０で示されている。プランジャ１０は、作動の際、ＩＳ機（図示せず）のブランクモールドに対して往復動しない環状ハウジング部材１２と、作動の際、環状部材１２に対し環状部材１２の長手方向中心軸線に沿って摺動自在に往復動する弁部材１４と、弁部材１４のステム部分１４ａに固定されていて、これと共に往復動するカラー１６とで構成されている。カラー１６は、環状部材１２の入口端部のところに設けられた拡大凹部又は凹み部分１２ａ内で前後に摺動し、以下に詳細に説明する目的で、このカラーを貫通して円周方向に互いに間隔を置いた複数の流体流れ通路１６が設けられている。
【０００９】
弁部材１４は、その上方自由端部のところに上方に延びる拡大切頭円錐形部分１４ｂを更に有し、図１に示すように、弁部材１４の第１の位置では、この部分１４ｂは、環状部材１２の上方に延びる上方切頭円錐形部分１２ｂに着座してプランジャ１０を通る流体の流れを遮断するようになっている。環状部材１２に対する弁部材１４の移動は、弁部材１４のステム１４ａ上のカラー１６の位置によって制限される。というのは、カラー１６は、環状部材１２の凹部１２ａの上端部のところに設けられた半径方向肩１２ｃと接触した位置を越えて移動できないからである。環状部材１２の凹部１２ａは、以下に詳細に説明する目的で、肩１２ｃの軸方向内方に位置決めされた縮径部分１２ｄを更に有している。
【００１０】
カウンタブロー空気は、概略的に示されている入口ライン２０を通って環状部材１２の凹部１２ａに間欠的に送られ、空気入口ライン２０には、環状部材１２に対するカウンタブロー空気の流れのタイミングを制御するオンオフ弁２２が設けられている。凹部１２ａを入口ライン２０を通るカウンタブロー空気の流れによって加圧すると、凹部内の圧力は、カラー１６の下側を加圧し、カラー１６及び弁部材１４が一緒になって図３に示すように環状部材１２に対して上昇するようにする。次に、これにより、凹部１２ａからの加圧空気が通路１６ａを通って流れ、しかる後、弁部材１４の部分１４ｂと環状部材１２の弁座１２ｂとの間の環状隙間に逃げ込んでプランジャ１０と関連したブランクモールド内の成形可能な温度状態にあるガラスの塊をカウンタブローする。弁２２の閉鎖時、凹部１２ａは減圧状態になり、これにより、弁部材１４及びカラー１６が重力の作用で一緒になって図３の位置から図１の位置に戻ることができ、この図１の位置で、弁部材１４の部分１４ｂは、環状部材１２の弁座１２ｂに着座して環状部材１２を通るそれ以上の空気の流れを遮断する。環状部材１２に対する弁部材１４の上昇可能距離を制御するため、カラー１６は、弁部材１４のステム部分１４ａの雄ねじ付き部分１４ｃに螺着されていて、カラー１６が所望に応じて環状部材１２に対する弁部材１４の移動中における始めの方の位置又は遅い方の位置で環状部材１２の肩１２ａに係合するようになっている。この場合、環状部材の凹部１２ａ内に残存している加圧空気は、通路１６ａを通って縮径部分１２ｄ内へ逃げ込み、ここから、弁部材１４の弁部分１４ｂと環状部材１２の弁座１２ｂとの間の環形部又は環状域を通ってプランジャ１０の外部に逃げ出ることができる。
【００１１】
プランジャ１０の環状部材１２、弁部材１４及びカラー１６はそれぞれ、ＩＳ機のブランクモールドの近くの領域中で生じている高温に鑑みて、適当な金属材料、好ましくは、耐熱性の鋼で作られる。かかる材料は、凹部１２ａを減圧したとき、カラー１６の上面と環状部材１２の肩１２ｃとの間に戻しばねを必要としないで、弁部材１４及びカラー１６を含む組立部品（サブアセンブリ）を図３の位置から図１の位置に戻すのに十分な質量を組立部品に与えるのに十分な密度を有している。
【００１２】
環状部材１２は、これを通るカウンタブロー空気の通過中、定位置に留まっているので、カウンタブロー空気がブランクモールド内でパリソンの状態に成形されている塊の中に流れることができるようにする引っ込み可能なプランジャを利用する従来技術のカウンタブロー空気導入システムに特有の問題、即ち、カウンタブロー空気によって形成されているパリソンの仕上げ部分のコケージの変形の問題が回避される。
【００１３】
出願時点において本発明を実施する本発明者によって発明された最適実施態様を本明細書において開示したが、当業者であれば、本発明の範囲から逸脱することなく適当な改造例、変更例及び均等例を想到できることは明らかであり、かかる範囲は、特許請求の範囲に記載された技術的事項及びその法上の均等範囲によってのみ定められる。
【図面の簡単な説明】
【図１】カウンタブロー空気をＩＳ型ガラス容器成形機のブランクモールド中に導入する本発明の好ましい実施形態としてのプランジャのその動作の第１の条件において示す部分概略断面側面図である。
【図２】図１の２−２線矢視断面図である。
【図３】図１と類似した図であり、プランジャをその作動の別の状態で示す図である。
【符号の説明】
１０　プランジャ
１２　環状部材
１４　滑り弁部材
１４ａ　ステム部分
１４ｂ　拡大弁座部分
１６　カラー
２０　入口ライン
２２　オンオフ弁
【図１】
2004018373.tif 000003
【図２】
2004018373.tif 000004
【図３】
2004018373.tif 000005